(57)【要約】【課題】  従来の洗浄ブラシでは洗浄することが困難な個所に入り込んだ油汚れ等の汚れを効果的に洗浄することができると共に、上記植毛工程等の煩雑な製造工程を必要とせず、安価に洗浄器具を提供する。【解決手段】  洗浄器具１０は、基板２０と、基板２０の一面２０ａ上に所定の間隔をもって形成された突出部３０と、を備え、当該突出部３０を、例えば、指先の爪の間に押し当てながら洗浄器具と指先とを相対的に動かすことで、指先の爪の間に入り込んだ汚れを掻き落とす。【選択図】  図１
2011050665.tif 000002
【特許請求の範囲】
【請求項１】
基板の一面に当該基板と一体となって形成された複数の突出部を備える洗浄器具であって、
前記突出部は先端側にかけてその表面が段差を有するように形成されること
を特徴とする洗浄器具。
【請求項２】
前記突出部は、
少なくとも１段以上の段差を備えること
を特徴とする請求項１記載の洗浄器具。
【請求項３】
前記突出部は、
前記基板の両面全面に形成されること
を特徴とする請求項１又は２記載の洗浄器具。
【請求項４】
前記基板の一面に形成される突出部と他面に形成される突出部とは、
異なる段差数をもって形成されること
を特徴とする請求項３記載の洗浄器具。
【請求項５】
基板の一面に当該基板と一体となって形成された複数の突出部を備える洗浄器具であって、
前記突出部は先端側にかけて直径が異なる複数の円柱体を結合させて形成されること
を特徴とする洗浄器具。
【請求項６】
前記突出部は、
少なくとも２つ以上の直径が異なる円柱体を結合させて形成されること
を特徴とする請求項５記載の洗浄器具。
【請求項７】
前記円柱体の直径は、
前記突出部の先端側にかけて段階的に小さくなるよう形成されること
を特徴とする請求項５又は６記載の洗浄器具。
【請求項８】
前記突出部は、
前記基板の両面全面に形成されること
を特徴とする請求項５乃至７の何れかに記載の洗浄器具。
【請求項９】
前記基板の一面に形成される突出部と他面に形成される突出部とは、
異なる数の円柱体を結合させて形成されること
を特徴とする請求項８記載の洗浄器具。
【請求項１０】
前記基板、及び前記突出部は、
射出成型により一体的に成型されること
を特徴とする請求項１乃至９の何れかに記載の洗浄器具。
【発明の詳細な説明】
【技術分野】
【０００１】
本発明は、基板の一面に当該基板と一体となって形成された複数の突出部を備える洗浄器具に関し、特に、指先の爪の間といった、従来の洗浄ブラシでは洗浄することが困難な個所に入り込んだ油汚れ等を効果的に洗浄することが可能な洗浄器具に関するものである。
【背景技術】
【０００２】
従来、指先の爪の間等の隙間に付着した汚れを洗い流すことを目的として、例えば、特許文献１には、円形底板の外周に周壁を設けたホルダ本体の底面と内周面とのそれぞれに、多数の洗浄用毛が植毛されており、当該ホルダ本体の内側に挿入した指先を洗浄用毛に押し当てながら、ホルダ本体と指先とを相対的に動かすことで、各指先の爪の間に入り込んだ汚れを描き落とすことができる指先洗浄器についての記載がなされている。
【先行技術文献】
【特許文献】
【０００３】
【特許文献１】実公平７−６８７０号公報
【発明の概要】
【発明が解決しようとする課題】
【０００４】
しかしながら、上記特許文献１に見受けられるような構成の指先洗浄器においては、ホルダ本体の底面、及び内周面等の指先に当接する個所に多数の洗浄用毛が植毛されている。洗浄用毛は、一般的に、直線形状であると共に、毛先が尖っているため、汚れ付着部分、特に指先の爪の間といった、入り込んだ箇所に付着した汚れに対して万遍無く当接し、全ての汚れを掻き落とすことは困難である。また、洗浄用毛を植毛する植毛工程は手間がかかる上に、それにかかる設備を設ける必要があり、製造コストが高騰するといった問題があった。
【０００５】
本発明は、このような実情に鑑みてなされたものであり、本発明の課題は、従来の洗浄ブラシでは洗浄することが困難な個所に入り込んだ油汚れ等の汚れを効果的に洗浄することができると共に、上記植毛工程等の煩雑な製造工程を必要とせず、安価に洗浄器具を提供することである。
【課題を解決するための手段】
【０００６】
上記課題を解決するために、第１の発明にかかる洗浄器具は、基板の一面に当該基板と一体となって形成された複数の突出部を備える洗浄器具であって、突出部は先端側にかけてその表面が段差を有するように形成されることを特徴としている。
【０００７】
第１の発明における洗浄器具は、基板の一面に当該基板と一体となって形成され、先端側にかけてその表面が段差を有するように形成された突出部を備える構成であるため、突出部に形成された段差部分が入り込んだ箇所に付着した汚れに対して万遍無く当接するため、効率良く汚れを掻き落とすことができる。
【０００８】
また、第２の発明にかかる洗浄器具は、第１の発明において、前記突出部は、少なくとも１段以上の段差を備えることを特徴としている。
【０００９】
第２の発明における洗浄器具は、基板の一面に当該基板と一体となって形成され、先端側にかけてその表面が少なくとも１段以上の段差を有するように形成された突出部を備える構成であるため、突出部に形成された段差部分が入り込んだ箇所に付着した汚れに対して万遍無く当接するため、効率良く汚れを掻き落とすことができる。
【００１０】
さらに、第３の発明にかかる洗浄器具は、第１又は第２の発明において、前記突出部は、前記基板の両面全面に形成されることを特徴としている。
【００１１】
第３の発明における洗浄器具は、基板の両面全面に当該基板と一体となって形成され、先端側にかけてその表面が段差を有するように形成された突出部を備える構成であるため、例えば、使用者の用途に基づき、基板を折り曲げたり、丸めたりしたとしても、突出部に形成された段差部分が入り込んだ箇所に付着した汚れに対して万遍無く当接するため、効率良く汚れを掻き落とすことができる。
【００１２】
さらにまた、第４の発明にかかる洗浄器具は、第３の発明において、前記基板の一面に形成される突出部と他面に形成される突出部とは、異なる段差数をもって形成されることを特徴としている。
【００１３】
第４の発明における洗浄器具は、基板の両面全面に当該基板と一体となって形成され、前記基板の一面に形成される突出部と他面に形成される突出部とは、異なる段差数をもって形成されているため、汚れの付着状態に応じて一面に形成された突出部、又は他面に形成された突出部の何れかを適宜選択して使用することができる。
【００１４】
また、第５の発明にかかる洗浄器具は、基板の一面に当該基板と一体となって形成された複数の突出部を備える洗浄器具であって、前記突出部は先端側にかけて直径が異なる複数の円柱体を結合させて形成されることを特徴としている。
【００１５】
第５の発明における洗浄器具は、基板の一面に当該基板と一体となって形成され、先端側にかけて直径が異なる複数の円柱体を結合させて形成された突出部を備える構成であるため、当該円柱体が結合することにより生じる段差部分が入り込んだ箇所に付着した汚れに対して万遍無く当接するため、効率良く汚れを掻き落とすことができる。
【００１６】
さらに、第６の発明にかかる洗浄器具は、第５の発明において、前記突出部は、少なくとも２つ以上の直径が異なる円柱体を結合させて形成されることを特徴としている。
【００１７】
第６の発明における洗浄器具は、基板の一面に当該基板と一体となって形成され、先端側にかけて少なくとも２つ以上の直径が異なる円柱体が結合することにより、少なくとも１段以上の段差を有するように形成された突出部を備える構成であるため、突出部に形成された段差部分が入り込んだ箇所に付着した汚れに対して万遍無く当接するため、効率良く汚れを掻き落とすことができる。
【００１８】
さらにまた、第７の発明にかかる洗浄器具は、第５又は第６の発明において、前記円柱の直径は、前記突出部の先端側にかけて段階的に小さくなるよう形成されることを特徴としている。
【００１９】
第７の発明における洗浄器具は、基板の一面に当該基板と一体となって形成され、先端側にかけて直径が段階的に小さくなるように複数の円柱体を結合させて形成された突出部を備える構成であるため、当該円柱体が結合することにより生じる段差部分が入り込んだ箇所に付着した汚れに対して万遍無く当接するため、効率良く汚れを掻き落とすことができる。
【００２０】
また、第８の発明にかかる洗浄器具は、第５乃至第７の何れかの発明において、前記突出部は前記基板の両面全面に形成されることを特徴としている。
【００２１】
第８の発明における洗浄器具は、基板の両面全面に当該基板と一体となって形成され、先端側にかけて直径が異なる複数の円柱体を結合させて形成された突出部を備える構成であるため、例えば、使用者の用途に基づき、基板を折り曲げたり、丸めたりしたとしても、突出部に形成された段差部分が入り込んだ箇所に付着した汚れに対して万遍無く当接するため、効率良く汚れを掻き落とすことができる。
【００２２】
さらに、第９の発明にかかる洗浄器具は、第８の発明において、前記基板の一面に形成される突出部と他面に形成される突出部とは、異なる数の円柱体を結合させて形成されることを特徴としている。
【００２３】
第９の発明における洗浄器具は、基板の両面全面に当該基板と一体となって形成され、前記基板の一面に形成される突出部と他面に形成される突出部とは、異なる数の円柱体を結合させて形成されているため、汚れの付着状態に応じて一面に形成された突出部、又は他面に形成された突出部の何れかを適宜選択して使用することができる。
【００２４】
さらにまた、第１０の発明にかかる洗浄器具は、第１乃至第９の何れかの発明において、前記基板、及び前記突出部は、射出成型により一体的に成型されることを特徴としている。
【００２５】
第１０の発明にかかる洗浄器具は、第１乃至第９の何れかの発明において、前記基板、及び前記突出部は、金型を用いた一体型の射出成型品であるため、複雑な製造工程を必要とせず、製造コストを抑え、大幅に生産効率を高めることができる。
【発明の効果】
【００２６】
本発明よれば、従来の洗浄ブラシでは洗浄することが困難な個所に入り込んだ油汚れ等の汚れを効果的に洗浄することができると共に、上記植毛工程等の煩雑な製造工程を必要とせず、安価に洗浄器具を提供することができる。
【図面の簡単な説明】
【００２７】
【図１】洗浄器具を説明するための斜視図である。
【図２】洗浄器具を説明するための平面図である。
【図３】突出部を説明するための側面図である。
【図４】他の形態の洗浄器具を説明するための斜視図である。
【図５】他の形態の洗浄器具を説明するための斜視図である。
【図６】洗浄器具を用いた洗浄方法を説明する図である。
【図７】他の基板形状を説明するための平面図である。
【発明を実施するための形態】
【００２８】
以下、本発明の実施形態について図面を参照して説明する。なお、本発明は以下の記述に限定されるものではなく、本発明の要旨を逸脱しない範囲において適宜変更可能である。
【００２９】
本実施形態にかかる洗浄器具１０は、図１、及び図２に示すように、基板２０と、基板２０の一面２０ａ上に所定の間隔をもって形成された突出部３０（３０ａ、３０ｂ、３０ｃ、３０ｄ・・・、以下、特別な断りが無い場合には、突出部３０と称する）と、を備え、当該突出部３０を、例えば、指先の爪の間に押し当てながら洗浄器具と指先とを相対的に動かすことで、指先の爪の間に入り込んだ汚れが掻き落とされるようになっている。
【００３０】
本実施形態にかかる基板２０は、図２に示すように、平面視において、小判型形状であり、両端の円弧形状領域の途中領域から中央の長方形領域にかけて複数の突出部３０が形成されている。基板２０の形状は、使用者の用途に応じて適宜変更可能であるが、好ましくは、長手方向中央部長さが１００ｍｍ〜１５０ｍｍ、短手方向中央部の長さが５０ｍｍ〜１００ｍｍ、厚みが１ｍｍ〜５ｍｍの小判型形状のものが好ましい。そして、基板２０は、後述するように、例えば、シリコンゴムや、高弾性エラストマー等の弾性材質で成型されるため、弾性力に富み、使用者の用途に応じて折り曲げたり、丸めたりすることが可能である。
【００３１】
基板２０の一面２０ａに形成される突出部３０は、基板２０の表面の一部を突出させることにより、当該基板の一面２０ａの両端の円弧形状領域の途中領域から中央の長方形領域にかけて、互いに等間隔に立設されている。
【００３２】
突出部３０の形状は、図３（ａ）に示すように、先端側にかけてその表面が段差を有するように形成される。このような段差は、例えば、突出部３０の末端部から先端部にかけて直径が異なる複数の円柱体を結合させることによって形成することができる。なお、本実施形態においては、直径約２ｍｍの円柱体３００を末端部とし、先端部にかけて当該円柱体３００よりも小さな直径を有する円柱体３０１、及び円柱体３０２を順に２つ結合させることにより、段差３００ａ、及び段差３００ｂの２つの段差を形成する形態とした。
【００３３】
なお、本実施形態においては、図３（ａ）に示すような、２つの段差を有する形態としたが、本発明にかかる突出部に形成される段差数はこれに限定されるものではない。すなわち、使用者の用途に応じて、例えば、図３（ｂ）に示すような、円柱体４００、及び円柱体４０１の２つの円柱体から構成され、１つの段差を備える突出部４０、図３（ｃ）に示すような、円柱体５００、円柱体５０１、円柱体５０２、及び円柱体５０３の４つの円柱体から構成され、３つの段差を備える突出部５０、又は図３（ｄ）に示すような、円柱体６００、円柱体６０１、円柱体６０２、円柱体６０３、及び円柱体６０４の５つの円柱体から構成され、４つの段差を備える突出部６０、といったように突出部に形成される段差数に対して特に制限はない。なお、本実施形態においては、突出部に形成される段差を構成する立体として、円柱体を結合させて段差を形成する形態を一例として説明したが、本発明においては、突出部に段差が形成される形態でれば、どのような立体形状としてもよく、上記円柱体以外でも、例えば、突出部の先端側にかけて辺の長さが短くなるように複数の立方体、又は直方体等を結合させて段差を形成させてもよいし、円錐体、角錐体等の側面上に溝を設けて段差を形成させる形態としても構わない。
【００３４】
そして、このような構成を備えた洗浄器具１０は、基板２０の一面２０の一部を突出させることにより、基板２０と、突出部３０と、が一体となり成型される。その成型法としては、加熱して融解させた高弾性エラストマー等の材料を金型内に射出注入し、冷却・固化させることによって成型品を得ることができる射出成型法を用いることができる。また、射出成型法以外にも、例えば、押出し成形、異形押出し成形、インジェクションブロー成型、ダイレクトブロー成型、ブローコンプレッション成型、延伸ブロー成型、カレンダー成形、熱成形（真空・圧空成形を含む）、反応射出成型、発泡成形、圧縮成型、粉末成形（回転・延伸成形を含む）、積層成形、注型、溶融紡糸等を挙げることができる。このように、本実施形態にかかる洗浄器具は、金型を用いた射出成型により大量生産が可能であるため、生産効率を大幅に高めることができる。
【００３５】
また、本実施形態の洗浄器具の成型に用いられる材料としては、上述した高弾性エラストマーを用いることができ、本実施形態においては、耐候性、防カビ性、耐傷つき性、成型の容易さ、コストパフォーマンスの観点から昭和化成工業株式会社製のポリオレフィン、オイル等を含有するスチレン系熱可塑性エラストマーであるＭＡＸＩＲＯＮ  ＺＡＫを用いた。なお、本発明にかかる洗浄器具の成型に用いらる材料としては、上記スチレン系熱可塑性エラストマーに限定されるものではなく、他にも、例えば、オレフィン系熱可塑性エラストマー、塩化ビニル系エラストマー、ウレタン系エラストマー、ポリエステル系エラストマー、アミド系エラストマー等を用いることも無論可能であり、使用者の用途、材料特性に応じて適宜選択することができる。
【００３６】
また、図１、又は図２に示すような、基板２０の一面２０ａのみに突出部３０が形成された形態とは別に、基板２０のもう片方の面である他面２０ｂに対しても突出部３０が形成された洗浄器具１０’も本発明の一形態である。この場合、図４に示すように、突出部３０は、基板２０の一面２０ａ、及び他面２０ｂの両面に形成されることになるため、例えば、使用者の用途に基づき、基板２０を折り曲げたり、丸めたりしたとしても、突出部３０に形成された段差が入り込んだ箇所に付着した汚れに対して万遍無く当接するため、効率良く汚れを掻き落とすことができる。
【００３７】
さらに、図５に示すように、例えば、基板２０の一面２０ａには、２つの段差を備える突出部３０を形成し、基板２０の他面２０ｂには、３つの段差を備える突出部５０を形成した洗浄器具１０’’といった、基板の両面にそれぞれ異なる数の段差を備える突出部を形成させる形態としてもよい。このような形態とすることで、例えば、基板２０の一面２０ａに形成された突出部３０では、入り込んだ箇所に付着した汚れを掻き落とすことが困難である場合、基板２０の他面２０ｂに形成された突出部５０を用いて汚れを掻き落とすことができ、汚れの付着状態に応じて基板２０の一面２０ａに形成された突出部３０、又は他面２０ｂに形成された突出部５０の何れかを適宜選択して使用することができる。
【００３８】
そして、本実施形態にかかる洗浄器具１０を用いて、例えば、指先の爪の間等の隙間に付着した汚れを洗い流す場合には、図６に示すように、汚れが付着した指先１００の爪の間の隙間１０１に対して、洗浄器具１０の突出部３０の段差３００ａ、又は３００ｂの何れかの段差を押し当てながら、洗浄器具１０本体と指先とを相対的に動かす。すると、段差３００ａ、又は段差３００ｂの何れかの角部が汚れに直接当接し、当該汚れを掻き落とすことができる。
【００３９】
以上のように、本発明によれば、従来の洗浄ブラシでは洗浄することが困難な個所に入り込んだ油汚れ等の汚れを効果的に洗浄することができると共に、上記植毛工程等の煩雑な製造工程を必要とせず、安価に洗浄器具を提供することができる。
【００４０】
なお、本発明の実施形態の説明において、小判型形状の基板について説明したが、本発明はこの記述に限定されるものではなく、例えば、図７（ａ）に示すようなハート型形状、又は同図７（ｂ）に示すような星型形状といったデザインにすることも可能である。基板の形状をこのようなデザインとすることで、本発明にかかる洗浄器具に対する幼児、小児等の関心を引くことができ、例えば、新型インフルエンザの感染予防を目的とした手洗い等を促すことができる。
【００４１】
また、本発明にかかる洗浄器具の使用用途は、上記手洗いの用途に限定されるものではなく、例えば、古い角質を取り除く美容用洗顔ブラシ、体全体用のボディーブラシ、まな板等の木製製品用の洗浄ブラシ、又は工業用部品用の洗浄用ブラシといった、様々な使用用途に適用することが可能である。
【符号の説明】
【００４２】
１０  洗浄器具
１０’  洗浄器具
１０’’  洗浄器具
２０  基板
２０ａ  一面
２０ｂ  他面
３０  突出部
４０  突出部
５０  突出部
６０  突出部
３００  円柱体
３００ａ  段差
３００ｂ  段差
３０１  円柱体
３０２  円柱体
【図１】
2011050665.tif 000003
【図２】
2011050665.tif 000004
【図３】
2011050665.tif 000005
【図４】
2011050665.tif 000006
【図５】
2011050665.tif 000007
【図６】
2011050665.tif 000008
【図７】
2011050665.tif 000009